(57)【要約】【課題】接続されたポータブルオーディオプレイヤのメインとなる利用環境に応じた設定を維持する「オーディオ装置」を提供する。【解決手段】オーディオ装置１の制御部１２は、接続されたポータブルオーディオプレイヤ２が主としてオーディオ装置１に接続されて使用されているものである場合には、ポータブルオーディオプレイヤ２のオーディオ再生部２２のイコライズ機能をオフに設定し、オーディオ装置１のオーディオ処理部１３のイコライズ機能をオンに設定し、ポータブルオーディオプレイヤ２の、オーディオ装置１との接続が解除されたときに、設定を接続前の状態に復帰するリストア機能をオフに設定する。そうでない場合には、オーディオ装置１のオーディオ処理部１３のイコライズ機能をオフに設定し、ポータブルオーディオプレイヤ２の、リストア機能をオンに設定する。【選択図】図１
2010165430.tif 000002
【特許請求の範囲】
【請求項１】
オーディオデータを記憶し、記憶したオーディオデータを再生し再生音声を出力する、前記再生音声のイコライズ機能を備えたポータブルオーディオプレイヤを接続可能であって、接続されたポータブルオーディオプレイヤが出力する再生音声を出力する、当該出力する音声のイコライズ機能を備えたオーディオ装置であって、
前記ポータブルオーディオプレイヤが当該オーディオ装置に接続されて使用された履歴を管理する履歴管理手段と、
接続されたポータブルオーディオプレイヤが、主として当該オーディオ装置に接続されて使用されているか否かを、前記履歴管理手段が管理している履歴に基づいて判定する判定手段と、
前記判定手段が接続された前記ポータブルオーディオプレイヤが主として当該オーディオ装置に接続されて使用されていると判定した場合に、接続された前記ポータブルオーディオプレイヤのイコライズ機能をオフに設定し、前記オーディオ装置のイコライズ機能をオンに設定し、前記判定手段が接続された前記ポータブルオーディオプレイヤが主として当該オーディオ装置に接続されて使用されていないと判定された場合に、前記オーディオ装置のイコライズ機能をオフに設定する設定状態制御手段とを有することを特徴とするオーディオ装置。
【請求項２】
オーディオデータを記憶し、記憶したオーディオデータを再生し再生音声を出力するポータブルオーディオプレイヤを接続可能であって、接続されたポータブルオーディオプレイヤが出力する再生音声を出力するオーディオ装置であって、
前記ポータブルオーディオプレイヤは、前記オーディオ装置との接続が解除されたときに、前記オーディオ装置と接続された時点の設定に、自己の設定を復帰する設定復帰機能を備えており、
前記ポータブルオーディオプレイヤが当該オーディオ装置に接続されて使用された履歴を管理する履歴管理手段と、
接続されたポータブルオーディオプレイヤが、主として当該オーディオ装置に接続されて使用されているか否かを、前記履歴管理手段が管理している履歴に基づいて判定する判定手段と、
前記判定手段が接続された前記ポータブルオーディオプレイヤが主として当該オーディオ装置に接続されて使用されていると判定した場合に、接続された前記ポータブルオーディオプレイヤの設定復帰機能をオフに設定し、前記判定手段が接続された前記ポータブルオーディオプレイヤが主として当該オーディオ装置に接続されて使用されていないと判定された場合に、前記ポータブルオーディオプレイヤの設定復帰機能をオンに設定する設定状態制御手段とを有することを特徴とするオーディオ装置。
【請求項３】
請求項２記載のオーディオ装置であって、
前記ポータブルオーディオプレイヤの設定復帰機能が復帰する自己の設定は、前記オーディオデータの再生順序と繰り返し再生回数との少なくとも一方を規定する再生モードの設定を含むことを特徴とするオーディオ装置。
【請求項４】
請求項１、２または３記載のオーディオ装置であって、
前記判定手段は、前記履歴管理手段が管理している履歴が、接続されたポータブルオーディオプレイヤが、平日に、Ｎ（但し、Ｎは１以上の整数）回以上接続されていることを表している場合に、接続されたポータブルオーディオプレイヤが、主として当該オーディオ装置に接続されて使用されていると判定し、他の場合に、接続されたポータブルオーディオプレイヤが、主として当該オーディオ装置に接続されて使用されていないと判定することを特徴とするオーディオ装置。
【請求項５】
請求項１、２または３記載のオーディオ装置であって、
前記判定手段は、前記履歴管理手段が管理している履歴が、接続されたポータブルオーディオプレイヤが、過去所定期間内に、当該オーディオ装置に接続されて使用された時間長もしくは回数が、所定値以上である場合に、接続されたポータブルオーディオプレイヤが、主として当該オーディオ装置に接続されて使用されていると判定し、他の場合に、接続されたポータブルオーディオプレイヤが、主として当該オーディオ装置に接続されて使用されていないと判定することを特徴とするオーディオ装置。
【請求項６】
コンピュータによって読みとられ実行されるコンピュータプログラムであって、
当該コンピュータプログラムは、前記コンピュータを、オーディオデータを記憶し、記憶したオーディオデータを再生し再生音声を出力する、前記再生音声のイコライズ機能を備えたポータブルオーディオプレイヤを接続可能であって、接続されたポータブルオーディオプレイヤが出力する再生音声を出力する、当該出力する音声のイコライズ機能を備えたオーディオ装置として機能させ、
当該オーディオ装置は、
前記ポータブルオーディオプレイヤが当該オーディオ装置に接続されて使用された履歴を管理する履歴管理手段と、
接続されたポータブルオーディオプレイヤが、主として当該オーディオ装置に接続されて使用されているか否かを、前記履歴管理手段が管理している履歴に基づいて判定する判定手段と、
前記判定手段が接続された前記ポータブルオーディオプレイヤが主として当該オーディオ装置に接続されて使用されていると判定した場合に、接続された前記ポータブルオーディオプレイヤのイコライズ機能をオフに設定し、前記オーディオ装置のイコライズ機能をオンに設定し、前記判定手段が接続された前記ポータブルオーディオプレイヤが主として当該オーディオ装置に接続されて使用されていないと判定された場合に、前記オーディオ装置のイコライズ機能をオフに設定する設定状態制御手段とを有することを特徴とするコンピュータプログラム。
【請求項７】
コンピュータによって読みとられ実行されるコンピュータプログラムであって、
当該コンピュータプログラムは、前記コンピュータを、オーディオデータを記憶し、記憶したオーディオデータを再生し再生音声を出力するポータブルオーディオプレイヤを接続可能であって、接続されたポータブルオーディオプレイヤが出力する再生音声を出力するオーディオ装置として機能させ、
前記ポータブルオーディオプレイヤは、前記オーディオ装置との接続が解除されたときに、前記オーディオ装置と接続された時点の設定に、自己の設定を復帰する設定復帰機能を備えており、
前記オーディオ装置は、
前記ポータブルオーディオプレイヤが当該オーディオ装置に接続されて使用された履歴を管理する履歴管理手段と、
接続されたポータブルオーディオプレイヤが、主として当該オーディオ装置に接続されて使用されているか否かを、前記履歴管理手段が管理している履歴に基づいて判定する判定手段と、
前記判定手段が接続された前記ポータブルオーディオプレイヤが主として当該オーディオ装置に接続されて使用されていると判定した場合に、接続された前記ポータブルオーディオプレイヤの設定復帰機能をオフに設定し、前記判定手段が接続された前記ポータブルオーディオプレイヤが主として当該オーディオ装置に接続されて使用されていないと判定された場合に、前記ポータブルオーディオプレイヤの設定復帰機能をオンに設定する設定状態制御手段とを有することを特徴とするコンピュータプログラム。
【発明の詳細な説明】
【技術分野】
【０００１】
本発明は、記録したオーディオファイルやビデオファイルを再生出力するポータブルオーディオプレイヤを接続可能なオーディオ装置に関するものである。
【背景技術】
【０００２】
記録したオーディオファイルやビデオファイルを再生出力するポータブルオーディオプレイヤを接続可能なオーディオ装置としては、ポータブルオーディオプレイヤから入力するオーディオ信号に、オーディオ装置において、音質調整と音量調整を施して出力するオーディオ装置が知られている（たとえば、特許文献１）。
【先行技術文献】
【特許文献】
【０００３】
【特許文献１】特開2007-286490号公報
【発明の概要】
【発明が解決しようとする課題】
【０００４】
さて、ポータブルオーディオプレイヤを、オーディオ装置に接続されたポータブルオーディオプレイヤのイコライザの設定や、ポータブルオーディオプレイヤのランダム再生やリピート再生などの再生モードの設定は、オーディオ装置から制御できることが一般的であり、このような機能を利用して、ユーザは、オーディオ装置に接続されているポータブルオーディオプレイヤの設定を、適宜、オーディオ装置に接続した環境での利用に適した設定に変更することができる。
【０００５】
ここで、ポータブルオーディオプレイヤがオーディオ装置から取り外されるときに、ポータブルオーディオプレイヤの設定として、オーディオ装置に接続されているときに成された変更後の設定が維持されるものとすると、ポータブルオーディオプレイヤを単体で利用することの多いユーザにとっては、ポータブルオーディオプレイヤをオーディオ装置に接続して利用する度に、ポータブルオーディオプレイヤのメインとなる利用環境に応じた設定が失われることになり不便である。
【０００６】
一方で、ポータブルオーディオプレイヤがオーディオ装置から取り外されるときに、ポータブルオーディオプレイヤの設定がオーディオ装置への接続前の設定と同じになるように制御することとすると、ポータブルオーディオプレイヤをオーディオ装置に接続して利用することの多いユーザにとっては、ポータブルオーディオプレイヤをオーディオ装置から取り外す度に、ポータブルオーディオプレイヤのメインとなる利用環境に応じた設定が失われることになり不便である。
【０００７】
そこで、本発明は、ポータブルオーディオプレイヤを接続可能なオーディオ装置において、ユーザのメインとなる利用環境に応じた設定を維持することを課題とする。
【課題を解決するための手段】
【０００８】
前記課題達成のために、本発明は、オーディオデータを記憶し、記憶したオーディオデータを再生し再生音声を出力する、前記再生音声のイコライズ機能を備えたポータブルオーディオプレイヤを接続可能であって、接続されたポータブルオーディオプレイヤが出力する再生音声を出力する、当該出力する音声のイコライズ機能を備えたオーディオ装置に、前記ポータブルオーディオプレイヤが当該オーディオ装置に接続されて使用された履歴を管理する履歴管理手段と、接続されたポータブルオーディオプレイヤが、主として当該オーディオ装置に接続されて使用されているか否かを、前記履歴管理手段が管理している履歴に基づいて判定する判定手段と、前記判定手段が接続された前記ポータブルオーディオプレイヤが主として当該オーディオ装置に接続されて使用されていると判定した場合に、接続された前記ポータブルオーディオプレイヤのイコライズ機能をオフに設定し、前記オーディオ装置のイコライズ機能をオンに設定し、前記判定手段が接続された前記ポータブルオーディオプレイヤが主として当該オーディオ装置に接続されて使用されていないと判定された場合に、前記オーディオ装置のイコライズ機能をオフに設定する設定状態制御手段とを備えたものである。
【０００９】
このような設定状態制御処理によれば、主としてオーディオ装置に接続されて使用されているポータブルオーディオプレイヤについては、オーディオ装置に接続されているときには、ポータブルオーディオプレイヤのイコライズ機能は使用せずにオーディオ装置のイコライズ機能を使用して出力する音声の音質調製が行われる。また、ポータブルオーディオプレイヤがオーディオ装置から取り外された後も、ポータブルオーディオプレイヤのイコライズ機能の設定状態は、ポータブルオーディオプレイヤが接続されていたときの設定状態に、そのまま維持されることになる。
【００１０】
一方、主としてオーディオ装置に接続されて使用されていないポータブルオーディオプレイヤ、すなわち、主として単体で使用されるポータブルオーディオプレイヤについては、オーディオ装置に接続されているときには、ポータブルオーディオプレイヤのイコライズ機能を使用して、オーディオ装置のイコライズ機能は使用せずに、出力する音声の音質調製が行われる。また、ポータブルオーディオプレイヤの接続時に、オーディオ装置においてポータブルオーディオプレイヤのイコライズ機能のオン/オフを制御しないので、ポータブルオーディオプレイヤがオーディオ装置から取り外された後のポータブルオーディオプレイヤの設定状態は、ポータブルオーディオプレイヤが接続される前の設定状態と同じとなる。
【００１１】
よって、オーディオ装置において、ユーザのメインとなるポータブルオーディオプレイヤの利用環境に応じた設定に、オーディオ装置及びポータブルオーディオプレイヤのイコライズ機能の設定を維持することができるようになる。
また、前記課題達成のために、本発明は、オーディオデータを記憶し、記憶したオーディオデータを再生し再生音声を出力するポータブルオーディオプレイヤを接続可能であって、接続されたポータブルオーディオプレイヤが出力する再生音声を出力するオーディオ装置に、前記ポータブルオーディオプレイヤが当該オーディオ装置に接続されて使用された履歴を管理する履歴管理手段と、接続されたポータブルオーディオプレイヤが、主として当該オーディオ装置に接続されて使用されているか否かを、前記履歴管理手段が管理している履歴に基づいて判定する判定手段と、前記判定手段が接続された前記ポータブルオーディオプレイヤが主として当該オーディオ装置に接続されて使用されていると判定した場合に、接続された前記ポータブルオーディオプレイヤの設定復帰機能をオフに設定し、前記判定手段が接続された前記ポータブルオーディオプレイヤが主として当該オーディオ装置に接続されて使用されていないと判定された場合に、前記ポータブルオーディオプレイヤの設定復帰機能をオンに設定する設定状態制御手段とを備えたものである。ただし、前記ポータブルオーディオプレイヤの設定復帰機能とは、前記オーディオ装置との接続が解除されたときに、前記オーディオ装置と接続された時点の設定に、自己の設定を復帰する機能であり、この設定復帰機能が復帰する自己の設定とは、たとえば、前記オーディオデータの再生順序と繰り返し再生回数との少なくとも一方を規定する再生モードの設定である。
【００１２】
このようなオーディオ装置によれば、主としてオーディオ装置に接続されて使用されているポータブルオーディオプレイヤについては、ポータブルオーディオプレイヤの設定復帰機能がオフに設定されるので、ポータブルオーディオプレイヤがオーディオ装置から取り外された後も、ポータブルオーディオプレイヤの設定状態は、ポータブルオーディオプレイヤが接続されていたときの設定状態に、そのまま維持されることになる。一方、主としてオーディオ装置に接続されて使用されていないポータブルオーディオプレイヤ、すなわち、主として単体で使用されるポータブルオーディオプレイヤについては、ポータブルオーディオプレイヤの設定復帰機能がオンに設定されるので、ポータブルオーディオプレイヤがオーディオ装置から取り外された後のポータブルオーディオプレイヤの設定状態は、ポータブルオーディオプレイヤが接続される前の設定状態と同じとなる。
【００１３】
よって、オーディオ装置において、ユーザのメインとなるポータブルオーディオプレイヤの利用環境に応じた設定に、オーディオ装置及びポータブルオーディオプレイヤの設定を維持することができるようになる。
ここで、以上のようなオーディオ装置は、より具体的には、前記判定手段において、前記履歴管理手段が管理している履歴が、接続されたポータブルオーディオプレイヤが、平日に、Ｎ（但し、Ｎは１以上の整数）回以上接続されていることを表している場合に、接続されたポータブルオーディオプレイヤが、主として当該オーディオ装置に接続されて使用されていると判定し、他の場合に、接続されたポータブルオーディオプレイヤが、主として当該オーディオ装置に接続されて使用されていないと判定するように構成してもよい。または、前記判定手段において、前記履歴管理手段が管理している履歴が、接続されたポータブルオーディオプレイヤが、過去所定期間内に、当該オーディオ装置に接続されて使用された時間長もしくは回数が、所定値以上である場合に、接続されたポータブルオーディオプレイヤが、主として当該オーディオ装置に接続されて使用されていると判定し、他の場合に、接続されたポータブルオーディオプレイヤが、主として当該オーディオ装置に接続されて使用されていないと判定するように構成してもよい。
【発明の効果】
【００１４】
以上のように、本発明によれば、ポータブルオーディオプレイヤを接続可能なオーディオ装置において、ユーザのメインとなる利用環境に応じた設定を維持することができる。
【図面の簡単な説明】
【００１５】
【図１】本発明の実施形態に係るオーディオ装置の構成を示すブロック図である。
【図２】本発明の実施形態に係るオーディオ装置が備えるテーブルを示す図である。
【図３】本発明の実施形態に係る設定状態制御処理を示すフローチャートである。
【発明を実施するための形態】
【００１６】
以下、本発明の実施形態を説明する。
図１に、本実施形態に係るオーディオ装置の構成を示す。
オーディオ装置１は、たとえば、自動車に搭載されるものであり、図示するように、複数のキーを備えた入力装置１１、制御部１２、オーディオ処理部１３、メモリ１４、表示装置１５、スピーカ１６、ポータブルオーディオプレイヤ２が選択的に接続されるプレイヤインタフェース１７とを備えている。
【００１７】
但し、以上のオーディオ装置１またはその一部は、ハードウエア的には、マイクロプロセッサや、メモリや、その他の周辺デバイスを有する一般的な構成を備えたコンピュータを用いて構成しても良く、この場合、以上に示したオーディオ装置の制御部１２やオーディオ処理部１３などは、マイクロプロセッサが予め用意されたプログラムを実行することにより具現化するプロセスとして実現されるものであって良い。
【００１８】
次に、ポータブルオーディオプレイヤ２は、携帯型の装置であり、オーディオデータを記憶した記憶装置２１、オーディオデータを再生したオーディオ信号を出力するオーディオ再生部２２、再生制御部２３、表示部２４、操作部２５、オーディオ装置１に接続するためのホストインタフェース２６とを備えている。
【００１９】
さて、このような構成において、ポータブルオーディオプレイヤ２の再生制御部２３は、オーディオ装置１に接続されていない状態において、表示部２４と操作部２５を用いたユーザインタフェース上でのユーザの指示に従って、記憶装置２１に記憶されているオーディオデータのうちの再生対象とするオーディオデータを設定し、再生対象として設定した各オーディオデータのオーディオ再生部２２による再生を制御する。
【００２０】
ここで、ポータブルオーディオプレイヤ２は、再生モードとして、再生対象のオーディオデータを順次再生する順次再生モードや、再生対象のオーディオデータをランダムな順序で再生するランダム再生モードや、再生対象のオーディオデータを繰り返し再生するリピート再生モードを備えており、再生制御部２３は、設定されている再生モードに従って、オーディオ再生部２２のオーディオ再生動作を制御する。また、オーディオ再生部２２は、出力するオーディオ信号の音質を調整するためのイコライザ機能を備えている。
【００２１】
そして、オーディオ装置１に接続されていない状態では、これらの再生モードの設定や、オーディオ再生部２２のイコライザ機能のオン/オフの設定や、オーディオ再生部２２のイコライザ機能で施す音質調整の内容はユーザの操作部２５の操作に応じて再生制御部２３が設定する。
【００２２】
また、ポータブルオーディオプレイヤ２の再生制御部２３は、オーディオ装置１に接続されている状態では、ホストインタフェース２６を介してオーディオ装置１からの制御を受け付ける。そして、オーディオ装置１からの制御に従って、再生対象とするオーディオデータを設定し、再生対象として設定した各オーディオデータのオーディオ再生部２２の再生と、オーディオ再生部２２によって再生されたオーディオ信号のホストインタフェース２６を介したオーディオ装置１への送信を制御する。
【００２３】
ここで、再生制御部２３は、オーディオ装置１に接続されている状態では、上述した再生モードや、イコライザ機能のオン/オフは、オーディオ装置１から制御に従って設定する。
また、ポータブルオーディオプレイヤ２は、リストア機能を備えており、リストア機能がオンに設定されているときには、再生制御部２３は、オーディオ装置１からポータブルオーディオプレイヤ２が取り外されたときに、オーディオ装置１に接続されたときの設定に再生モードを復帰する。このリストア機能のオン/オフは、オーディオ装置１に接続されているときには、再生制御部２３がオーディオ装置１から制御に従って設定する。また、再生制御部２３は、オーディオ装置１に接続されているときに、オーディオ装置１からの要求に応じて、ポータブルオーディオプレイヤ２の識別をオーディオ装置１に通知する機能も有している。
【００２４】
一方、オーディオ装置１の制御部１２は、表示制御部を介して各種メニューを表示装置１５に表示すると共に、入力装置１１を介して、ユーザの各種操作を受け付けける。そして、ユーザの再生開始操作に応じて、ユーザによって再生が指示されたオーディオデータを、再生対象とするオーディオデータとしてポータブルオーディオプレイヤ２に設定し、ポータブルオーディオプレイヤ２から入力するオーディオ信号を、オーディオ処理部１３にスピーカ１６へ出力させる。
【００２５】
また、オーディオ装置１の制御部１２は、入力装置１１に対するユーザの再生モード切替操作に応じて、ポータブルオーディオプレイヤ２の再生モードをユーザから指定されたモードに設定する。
ここで、オーディオ処理部１３は、スピーカ１６に出力するオーディオ信号の音質を調整するためのイコライザ機能を備えており、制御部１２は、入力装置１１のユーザ操作に応じて、オーディオ処理部１３のイコライザ機能のオン/オフの設定や、オーディオ処理部１３のイコライザ機能で施す音質調整の内容を設定する。
【００２６】
また、制御部１２は、プレイヤインタフェース１７へのポータブルオーディオプレイヤ２の接続/取り外しを検知する機能と、プレイヤインタフェース１７に接続されたポータブルオーディオプレイヤ２の識別をポータブルオーディオプレイヤ２から取得する機能を備えている。そして、これらの機能を利用して、制御部１２は、メモリ１４に設けた、図２に示す使用状況管理テーブルを用いて、オーディオ装置１に接続されたことのある各ポータブルオーディオプレイヤ２について、当該ポータブルオーディオプレイヤ２がオーディオ装置１に接続されていた期間の履歴を接続履歴として管理する処理を行う。ここで、図示するように、使用状況管理テーブルには、オーディオ装置１に接続されたことのある各ポータブルオーディオプレイヤ毎に対応して設けたエントリ（図の各行）を有し、制御部１２は、各エントリに、対応するポータブルオーディオプレイヤの識別と、対応するポータブルオーディオプレイヤ２がオーディオ装置１に接続されていた期間の履歴を登録する。
【００２７】
以下、オーディオ装置１の制御部１２が行う設定状態制御処理について説明する。
図示するように、この処理では、プレイヤインタフェース１７へのポータブルオーディオプレイヤ２の接続を監視し（ステップ３０２）、ポータブルオーディオプレイヤ２が接続されたならば、接続されたポータブルオーディオプレイヤ２が主としてオーディオ装置１に接続されて使用されているかどうかを判定する（ステップ３０４）。
【００２８】
この判定は、接続されたポータブルオーディオプレイヤ２の識別が登録された使用状況管理テーブルのエントリに登録されている履歴に基づいて、ポータブルオーディオプレイヤ２がオーディオ装置に接続されて使用された頻度もしくは使用された時間が、所定のしきい値より大きい場合には、接続されたポータブルオーディオプレイヤ２が主としてオーディオ装置１に接続されて使用されていると判定し、他の場合には、接続されたポータブルオーディオプレイヤ２が主としてオーディオ装置１に接続されて使用されていないと判定することにより行う。
【００２９】
すなわち、たとえば、当該履歴より、過去直近（たとえば、１週間）の所定期間中の平日（月曜日-金曜日）において、ポータブルオーディオプレイヤ２が毎日１回もしくは２回以上、オーディオ装置に接続されている場合に、接続されたポータブルオーディオプレイヤ２が主としてオーディオ装置１に接続されて使用されていると判定し、他の場合には、接続されたポータブルオーディオプレイヤ２が主としてオーディオ装置１に接続されて使用されていないと判定する。
【００３０】
または、たとえば、当該履歴より、過去直近（たとえば、１週間）の所定期間中において、所定回数（たとえば、４回）以下しか、ポータブルオーディオプレイヤ２がオーディオ装置１に接続されていない場合には、接続されたポータブルオーディオプレイヤ２が主としてオーディオ装置１に接続されて使用されていないと判定し、他の場合には、接続されたポータブルオーディオプレイヤ２が主としてオーディオ装置１に接続されて使用されていると判定するようにしてもよい。
【００３１】
または、たとえば、当該履歴より、当該履歴より求まるポータブルオーディオプレイヤ２のオーディオ装置１への所定の単位期間（たとえば、１週間）における接続時間長が、所定時間（たとえば、１４時間）以上である場合に、接続されたポータブルオーディオプレイヤ２が主としてオーディオ装置１に接続されて使用されていると判定し、他の場合には、接続されたポータブルオーディオプレイヤ２が主としてオーディオ装置１に接続されて使用されていないと判定するようにしてもよい。
【００３２】
そして、接続されたポータブルオーディオプレイヤ２が主としてオーディオ装置１に接続されて使用されているものである場合には（ステップ３０４）、ポータブルオーディオプレイヤ２のオーディオ再生部２２のイコライズ機能をオフに設定し、オーディオ装置１のオーディオ処理部１３のイコライズ機能をオンに設定し（ステップ３０６）、ポータブルオーディオプレイヤ２のリストア機能をオフに設定する（ステップ３０８）。そして、ステップ３０２の監視に戻る。
【００３３】
一方、接続されたポータブルオーディオプレイヤ２が主としてオーディオ装置１に接続されて使用されていないものである場合には（ステップ３０４）、オーディオ装置１のオーディオ処理部１３のイコライズ機能をオフに設定し（ステップ３１０）、ポータブルオーディオプレイヤ２のリストア機能をオンに設定する（ステップ３１２）。そして、ステップ３０２の監視に戻る。
【００３４】
以上、オーディオ装置１の制御部１２が行う設定状態制御処理について説明した。
このような設定状態制御処理によれば、主としてオーディオ装置１に接続されて使用されているポータブルオーディオプレイヤ２については、オーディオ装置１に接続されているときには、ポータブルオーディオプレイヤ２のイコライズ機能は使用せずにオーディオ装置１のイコライズ機能を使用してスピーカ１６に出力するオーディオ信号の音質調製が行われる。また、ポータブルオーディオプレイヤ２がオーディオ装置１から取り外された後も、ポータブルオーディオプレイヤ２の設定状態は、ポータブルオーディオプレイヤ２が接続されていたときの設定状態に維持されることになる。
【００３５】
一方、主としてオーディオ装置１に接続されて使用されていないポータブルオーディオプレイヤ２、すなわち、主として単体で使用されるポータブルオーディオプレイヤ２については、オーディオ装置１に接続されているときには、ポータブルオーディオプレイヤ２のイコライズ機能を使用して、オーディオ装置１のイコライズ機能は使用せずに、スピーカ１６に出力するオーディオ信号の音質調製が行われる。また、ポータブルオーディオプレイヤ２がオーディオ装置１から取り外された後のポータブルオーディオプレイヤ２の設定状態は、ポータブルオーディオプレイヤ２が接続される前の設定状態と同じとなる。
【００３６】
よって、オーディオ装置１において、ユーザのメインとなるポータブルオーディオプレイヤ２の利用環境に応じた設定に、オーディオ装置及びポータブルオーディオプレイヤ２の設定を維持することができるようになる。
【符号の説明】
【００３７】
１…オーディオ装置、２…ポータブルオーディオプレイヤ、１１…入力装置、１２…制御部、１３…オーディオ処理部、１４…メモリ、１５…表示装置、１６…スピーカ、１７…プレイヤインタフェース、２１…記憶装置、２２…オーディオ再生部、２３…再生制御部、２４…表示部、２５…操作部、２６…ホストインタフェース。
【図１】
2010165430.tif 000003
【図２】
2010165430.tif 000004
【図３】
2010165430.tif 000005